(57)【要約】  所定の周波数の基準信号が入力される入力部と、映像のフレーム画像の表示に同期する同期信号を送信する送信部と、前記基準信号に基づき、前記同期信号が送信される第１期間と、前記同期信号が受信されない第２期間と、を含む間欠式の送信周期を決定する決定部と、前記同期信号が第１期間に送信されるとともに前記第２期間に送信されないように、前記送信部を制御する送信制御部と、を備え、前記決定部は、前記同期信号の混信を避けるように、前記第１期間のタイミングを調整することを特徴とする表示装置。
2011118113.tif 000002
【特許請求の範囲】
【請求項１】
映像のフレーム画像の表示に同期する第１同期信号を送信する表示装置であって、
他の表示装置が所定の送信周期で間欠式に第２同期信号を送信する際に基準とする所定の周波数の基準信号が入力される入力部と、
前記基準信号に基づき、前記第１同期信号が送信される第１期間と、前記第１同期信号が受信されない第２期間と、を含むとともに前記所定の送信周期に相当する間欠式の送信周期を決定する決定部と、
前記第１期間に前記第１同期信号を送信し、前記第２期間に前記第１同期信号を送信しない送信部と、を備え、
前記決定部は、前記第２同期信号と前記第１同期信号との間の混信を避けるように、前記第１期間のタイミングを調整することを特徴とする表示装置。
【請求項２】
前記決定部は、前記基準信号の周期単位で前記第１期間の前記タイミングを調整することを特徴とすることを特徴とする請求項１記載の表示装置。
【請求項３】
前記第１期間のタイミングを調整するための外部信号を受信する第１受信部を備え、
前記決定部は、前記外部信号に基づき、前記第１期間の前記タイミングを調整することを特徴とする請求項２記載の表示装置。
【請求項４】
前記外部信号は、前記表示装置を制御するためのリモートコントローラから送信される信号を含むことを特徴とする請求項３記載の表示装置。
【請求項５】
前記外部信号は、前記表示装置の前記第１受信部によって受信された前記第２同期信号を含み、
前記決定部は、前記第１受信部が前記第２同期信号を、前記第１期間中に受信しないように、前記第１期間の前記タイミングを調整することを特徴とする請求項３記載の表示装置。
【請求項６】
前記基準信号は、前記他の表示装置及び前記表示装置に電力を供給するための商用電源からの交流電圧を含み、
前記入力部は、前記決定部が前記交流電圧の周波数、又は、前記交流電圧の位相を読み取ることができるように前記交流電圧の波形を整形する波形整形部を含むことを特徴とする請求項２乃至５いずれか１項に記載の表示装置。
【請求項７】
前記基準信号は、前記他の表示装置及び前記表示装置が置かれた空間を照らす光源の点滅を含み、
前記入力部は、前記決定部が前記光源の点滅、又は、前記光源の位相を検知するとともに前記光源の点滅の周波数、又は、前記光源の位相を前記決定部に通知するための検知信号を出力する検知部を含むことを特徴とする請求項２乃至５いずれか１項に記載の表示装置。
【請求項８】
第１映像を表示する第１表示装置と、
第２映像を表示する第２表示装置と、
前記第１映像の視聴を補助するための第１眼鏡装置と、
前記第２映像の視聴を補助するための第２眼鏡装置と、を備え、
前記第１表示装置及び前記第２表示装置は、
所定の周波数の基準信号が入力される入力部と、
映像のフレーム画像の同期する同期信号を送信する送信部と、
前記同期信号が送信される第１期間と、前記同期信号が受信されない第２期間と、を含む間欠式の送信周期を決定する決定部と、
前記同期信号が第１期間に送信されるとともに前記第２期間に送信されないように、前記送信部を制御する送信制御部と、を備え、
前記第１眼鏡装置及び前記第２眼鏡装置は、
前記同期信号を受信する第２受信部と、
前記映像からの光量を調整する光学フィルタ部と、
前記第１期間中に受信された前記同期信号に基づき、前記光学フィルタ部を制御する制御部と、を備え、
前記第１表示装置及び前記第２表示装置の前記決定部は、前記基準信号に基づき、前記送信周期を決定し、
前記第１表示装置の前記決定部は、前記第２表示装置の前記決定部が決定した前記第１期間のタイミングと重ならないように、前記第１期間のタイミングを調整し、前記第１表示装置からの前記同期信号と前記第２表示装置からの前記同期信号との間の混信を避け、
前記第１眼鏡装置の前記第２受信部は、前記第１表示装置からの前記同期信号を受信し、
前記第２眼鏡装置の前記第２受信部は、前記第２表示装置からの前記同期信号を受信することを特徴とする映像システム。
【発明の詳細な説明】
【技術分野】
【０００１】
本発明は、視聴者に３次元的に知覚される映像を提供するための表示装置及び映像システムに関する。
【背景技術】
【０００２】
近年の映像技術の発達により、視聴者に３次元的に知覚される映像（３次元映像）を提供するための様々な映像システムが開発されてきている。例えば、特許文献１は、２つの表示部を用いて映像を３次元的に知覚させる技術を提案する。一方の表示部に右眼で知覚されるための右眼フレーム画像を表示し、他方の表示部に左眼で知覚されるための左眼フレーム画像を表示する。視聴者は、右眼で右眼フレーム画像を視聴し、左眼で左眼フレーム画像を視聴することにより、映像を立体的に知覚する。特許文献２は、眼鏡装置を通じて、視聴者に映像を３次元的に知覚させるための映像信号の処理技術を開示する。【０００３】
特許文献３及び４は、３次元映像を表示する表示装置と３次元映像の視聴を補助するための眼鏡装置との間でのフレーム画像の表示に同期する同期信号の通信を用いて、視聴者に映像を知覚させる技術を開示する。特許文献３及び４に開示される映像システムの表示装置は、映像のフレーム画像の表示に同期する同期信号を送信し、眼鏡装置は、同期信号に基づいて、映像の視聴を補助するための立体視補助動作を実行する。眼鏡装置が、映像のフレーム画像の表示に同期した立体視補助動作を実行することにより、視聴者は表示装置が表示する映像を立体的に知覚することが可能となる。【０００４】
表示装置と眼鏡装置との間の同期信号の通信に基づく手法において、同期信号の混信は１つの課題である。例えば、オーディオ機器を販売する販売店では、数多くの表示装置が陳列されるため、同期信号の混信はより顕著な問題となる。例えば、視聴者が特定の表示装置が映し出す３次元映像を眼鏡装置の補助下で視聴している間、他の表示装置からの同期信号によって眼鏡装置が動作した場合には、視聴者は快適な３次元映像の視聴を享受できなくなる。
【先行技術文献】
【特許文献】
【０００５】
【特許文献１】特開平８−３７６７３号公報
【特許文献２】特開２００８−２０９４７６号公報
【特許文献３】特開平７−３２２３００号公報
【特許文献４】特開平８−３１７４２６号公報
【発明の概要】
【０００６】
本発明は、同期信号の混信を好適に抑制することができる表示装置及び映像システムを提供することを目的とする。
【０００７】
本発明の一の局面に係る表示装置は、映像のフレーム画像の表示に同期する第１同期信号を送信する表示装置であって、他の表示装置が所定の送信周期で間欠式に第２同期信号を送信する際に基準とする所定の周波数の基準信号が入力される入力部と、前記基準信号に基づき、前記第１同期信号が送信される第１期間と、前記第１同期信号が受信されない第２期間と、を含むとともに前記所定の送信周期に相当する間欠式の送信周期を決定する決定部と、前記第１期間に前記第１同期信号を送信し、前記第２期間に前記第１同期信号を送信しない送信部と、を備え、前記決定部は、前記第２同期信号と前記第１同期信号との間の混信を避けるように、前記第１期間のタイミングを調整することを特徴とする。
【０００８】
本発明の他の局面に係る映像システムは、第１映像を表示する第１表示装置と、第２映像を表示する第２表示装置と、前記第１映像の視聴を補助するための第１眼鏡装置と、前記第２映像の視聴を補助するための第２眼鏡装置と、を備え、前記第１表示装置及び前記第２表示装置は、所定の周波数の基準信号が入力される入力部と、映像のフレーム画像の同期する同期信号を送信する送信部と、前記同期信号が送信される第１期間と、前記同期信号が受信されない第２期間と、を含む間欠式の送信周期を決定する決定部と、前記同期信号が第１期間に送信されるとともに前記第２期間に送信されないように、前記送信部を制御する送信制御部と、を備え、前記第１眼鏡装置及び前記第２眼鏡装置は、前記同期信号を受信する第２受信部と、前記映像からの光量を調整する光学フィルタ部と、前記第１期間中に受信された前記同期信号に基づき、前記光学フィルタ部を制御する制御部と、を備え、前記第１表示装置及び前記第２表示装置の前記決定部は、前記基準信号に基づき、前記送信周期を決定し、前記第１表示装置の前記決定部は、前記第２表示装置の前記決定部が決定した前記第１期間のタイミングと重ならないように、前記第１期間のタイミングを調整し、前記第１表示装置からの前記同期信号と前記第２表示装置からの前記同期信号との間の混信を避け、前記第１眼鏡装置の前記第２受信部は、前記第１表示装置からの前記同期信号を受信し、前記第２眼鏡装置の前記第２受信部は、前記第２表示装置からの前記同期信号を受信することを特徴とする。
【図面の簡単な説明】
【０００９】
【図１】本発明の第１実施形態に係る映像システムの概略構成図である。
【図２】図１に示される映像システムの表示装置のハードウェア構成を概略的に示すブロック図である。
【図３】図２に示される表示装置の第２処理回路のハードウェア構成を概略的に示すブロック図である。
【図４】図３に示される第２処理回路による信号波形の整形を概略的に示す図である。
【図５】図２に示される表示装置の機能構成を概略的に示すブロック図である。
【図６】図１に示される映像システムの眼鏡装置のハードウェア構成を概略的に示すブロック図である。
【図７】図６に示される眼鏡装置の機能構成を概略的に示すブロック図である。
【図８】図２及び図３に示される表示装置による同期信号の通信を概略的に説明する模式図である。
【図９】図１に示される第１表示装置と第２表示装置による同期信号の送信を概略的に説明する模式図である。
【図１０】図２及び図３に示される表示装置による第１期間及び／又は第２期間のタイミングの調整を概略的に説明する模式図である。
【図１１】図２及び図３に示される表示装置による第１期間及び／又は第２期間のタイミングの調整を概略的に説明する模式図である。
【図１２】図２及び図３に示される表示装置による第１期間及び／又は第２期間のタイミングの調整に用いられる表示画面を例示する図である。
【図１３】本発明の第２実施形態に用いられる表示装置の機能構成を概略的に示すブロック図である。
【図１４】図１３に示される表示装置による同期信号の送受信を概略的に説明する模式図である。
【図１５】図１３に示される表示装置による第１期間及び／又は第２期間のタイミングの調整を概略的に説明する模式図である。
【図１６】図１５に示される第１期間及び／又は第２期間のタイミングの調整がなされた後の表示装置による同期信号の送受信を概略的に説明する模式図である。
【図１７】本発明の第３実施形態に係る映像システムの概略構成図である。
【図１８】図１７に示される映像システムの表示装置のハードウェア構成を概略的に示すブロック図である。
【図１９】図１７に示される表示装置の機能構成を概略的に示すブロック図である。
【図２０】図１８及び図１９に示される表示装置による送信周期の決定手法を概略的に説明する模式図である。
【図２１】３つの表示装置間での第１期間及び／又は第２期間のタイミングの調整を概略的に説明する模式図である。
【発明を実施するための形態】
【００１０】
以下、一実施形態に従う表示装置及び映像システムについて図面を参照して説明する。尚、図面に示される構成、配置或いは形状等並びに図面に関連する記載は、単に表示装置及び映像システムの原理を容易に理解させることを目的とするものであり、表示装置及び映像システムの原理を何ら限定するものではない。
【００１１】
（第１実施形態）
図１は、映像システムを概略的に示す。尚、図１は、単に、映像システムの原理を明瞭に説明するものであり、本実施形態に従う映像システムは、図１に示される詳細な構造、配置や形状に何ら限定されるものではない。
【００１２】
（映像システム）
映像システム１００は、３次元映像を表示する表示装置２００と、視聴者に映像を立体的に知覚させるための立体視補助動作を行う眼鏡装置３００と、表示装置２００を操作するためのリモートコントローラ４００とを備える。本実施形態において、表示装置２００は、第１表示装置２１０と第２表示装置２２０とを含む。第１表示装置２１０が表示する３次元映像は第２表示装置２２０が表示する３次元映像と異なる内容であってもよい。本実施形態では、第１表示装置２１０は、「ロケット」の３次元映像を表示し、第２表示装置２２０は、「自動車」の３次元映像を表示している。
【００１３】
本実施形態において、眼鏡装置３００は、第１眼鏡装置３１０と第２眼鏡装置３２０とを含む。第１眼鏡装置３１０は、第１表示装置２１０が表示する映像の視聴を補助するために用いられる。第２眼鏡装置３２０は、第２表示装置２２０が表示する映像の視聴を補助するために用いられる。
【００１４】
本実施形態において、リモートコントローラ４００は、第１リモートコントローラ４１０と第２リモートコントローラ４２０とを含む。第１リモートコントローラ４１０は、第１表示装置２１０に所定の動作をさせるための制御信号を送信するために用いられる。第２リモートコントローラ４２０は、第２表示装置２２０に所定の動作をさせるための制御信号を送信するために用いられる。
【００１５】
表示装置２００は、３次元的に知覚されるための映像を表示する表示パネル２３１を含む。表示パネル２３１として、例えば、ＣＲＴディスプレイ、液晶ディスプレイ、ＰＤＰ（プラズマディスプレイパネル）、有機エレクトロルミネッセンスディスプレイや映像を表示可能な他の装置が好適に使用される。表示パネル２３１に表示される映像は、左眼で視認されるように撮像或いは描写された左眼フレーム画像と、右眼で視認されるように撮像或いは描写された右眼フレーム画像とを含む。本実施形態において、左眼フレーム画像及び右眼フレーム画像は、表示パネル２３１に交互に表示される。尚、本実施形態において、第１表示装置２１０によるフレーム画像の表示タイミングは、第２表示装置２２０によるフレーム画像の表示タイミングと関連づけられていなくともよい。
【００１６】
眼鏡装置３００は、視聴者が左眼で左眼フレーム画像を視聴し、右眼で右眼フレーム画像を視聴するように立体視補助動作を実行する。この結果、視聴者は、表示パネル２３１上に表示された映像を３次元的（立体的）に知覚することとなる。映像が立体的に知覚されるとき、左眼フレーム画像及び右眼フレーム画像中のオブジェクト（例えば、第１表示装置２１０が表示する「ロケット」や第２表示装置２２０が表示する「自動車」）は、表示パネル２３１の平坦な面から飛び出たように或いは引っ込んだように知覚されることとなる。
【００１７】
表示装置２００は、表示パネル２３１の周縁を取り囲むように形成された筐体２０１と、筐体２０１の上縁上に配設された送信素子２３２を備える。送信素子２３２は、表示パネル２３１上での左眼フレーム画像及び右眼フレーム画像の表示に同期して、同期信号を送信する送信部として用いられる。送信素子２３２として、例えば、赤外線発光素子、ＲＦ送信機や同期信号を送信可能な他の任意の要素が好適に用いられる。
【００１８】
送信素子２３２からの同期信号は、眼鏡装置３００に受信される。同期信号の送信は、間欠式に行われる。所定長さの第１期間において、同期信号は送信される。第１期間に続く所定長さの第２期間において、同期信号は送信されない。第１期間と第２期間が交互に繰り返されることにより、間欠式の同期信号の送信が達成される。
【００１９】
以下の説明において、第１表示装置２１０から送信される同期信号は、第１同期信号として例示される。また、第２表示装置２２０から送信される同期信号は、第２同期信号として例示される。第１表示装置２１０と第２表示装置２２０との間で、第１期間及び／又は第２期間の適切な設定がなされると、第１同期信号は、第１眼鏡装置３１０によって適切に受信される。第１眼鏡装置３１０は、第１同期信号に基づき、上述の立体視補助動作を実行する。この結果、第１眼鏡装置３１０を装着した視聴者は、第１表示装置２１０が表示する左眼フレーム画像を左眼で視聴し、右眼フレーム画像を右眼で視聴することが可能となる。かくして、第１眼鏡装置３１０を装着した視聴者は、第１表示装置２１０が表示する映像を立体的に知覚することができる。また、第１表示装置２１０と第２表示装置２２０との間で、第１期間及び／又は第２期間の適切な設定がなされると、第１同期信号は、第２眼鏡装置３２０によって受信されない。あるいは、第２眼鏡装置３２０は第１同期信号を受信しても、第１同期信号に基づく動作をしない。この結果、第２眼鏡装置３２０を装着した視聴者は、第１同期信号からの影響をほとんど受けることなく、第２表示装置２２０が表示する３次元映像を視聴することができる。
【００２０】
同様に、第１表示装置２１０と第２表示装置２２０との間で、第１期間及び／又は第２期間の適切な設定がなされると、第２同期信号は、第２眼鏡装置３２０によって適切に受信される。第２眼鏡装置３２０は、第２同期信号に基づき、上述の立体視補助動作を実行する。この結果、第２眼鏡装置３２０を装着した視聴者は、第２表示装置２２０が表示する左眼フレーム画像を左眼で視聴し、右眼フレーム画像を右眼で視聴することが可能となる。かくして、第２眼鏡装置３２０を装着した視聴者は、第２表示装置２２０が表示する映像を立体的に知覚することができる。また、第１表示装置２１０と第２表示装置２２０との間で、第１期間及び／又は第２期間の適切な設定がなされると、第２同期信号は、第１眼鏡装置３１０によって受信されない。あるいは、第１眼鏡装置３１０は、第２同期信号を受信しても、第２同期信号に基づく動作をしない。この結果、第１眼鏡装置３１０を装着した視聴者は、第２同期信号からの影響をほとんど受けることなく、第１表示装置２１０が表示する３次元映像を視聴することができる。
【００２１】
尚、第１期間及び／又は第２期間の不適切な設定下では、第１眼鏡装置３１０は、第１同期信号及び第２同期信号に基づいて、光量の調整動作を行う。同様に、第１期間及び／又は第２期間の不適切な設定下では、第２眼鏡装置３２０は、第１同期信号及び第２同期信号に基づいて、光量の調整動作を行う。この結果、第１眼鏡装置３１０を装着した視聴者は、第２同期信号によって、例えば、第１表示装置２１０が表示する左眼フレーム画像を右眼で視聴し、第１表示装置２１０が表示する右眼フレーム画像を左眼で視聴することとなる。同様に、第２眼鏡装置３２０を装着した視聴者は、第１同期信号によって、例えば、第２表示装置２２０が表示する左眼フレーム画像を右眼で視聴し、第２表示装置２２０が表示する右眼フレーム画像を左眼で視聴することとなる。このような同期信号の混信を避けるための第１表示装置２１０と第２表示装置２２０との間での第１期間及び／又は第２期間の調整が後述される。
【００２２】
表示装置２００は、リモートコントローラ４００からの制御信号を受信するための第１受信素子２３３を備える。本実施形態において、リモートコントローラ４００は、第１期間及び／又は第２期間の設定並びに調整を行うために用いられる。リモートコントローラ４００による第１期間及び／又は第２期間の設定並びに調整によって、第１表示装置２１０と第２表示装置２２０との間での同期信号の混信が抑制される。したがって、本実施形態において、リモートコントローラ４００からの制御信号は、第１期間及び／又は第２期間のタイミングを調整するための外部信号として用いられる。また、第１受信素子２３３は、第１期間及び／又は第２期間のタイミングを調整するための外部信号を受信するための第１受信部として用いられる。
【００２３】
本実施形態において、第１表示装置２１０及び第２表示装置２２０は、共通の商用電源Ｅから電力の供給を受ける。商用電源Ｅからの交流電圧は、第１表示装置２１０と第２表示装置２２０との間での第１期間及び／又は第２期間の調整のための基準信号として用いられる。
【００２４】
眼鏡装置３００は、全体として、視力矯正用の眼鏡と同様の形状をなす。眼鏡装置３００は、眼鏡装置３００を着用した視聴者の左眼前に配置される左眼フィルタ３３１と、右眼前に配置される右眼フィルタ３３２とを含む光学フィルタ部３３０を備える。左眼フィルタ３３１及び右眼フィルタ３３２は、視聴者の左眼及び右眼へ透過する光の量を調整可能に形成される光学素子である。したがって、左眼フィルタ３３１及び右眼フィルタ３３２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。
【００２５】
第１表示装置２１０と第２表示装置２２０との間で、第１期間及び／又は第２期間の適切な設定がなされると、第１表示装置２１０が左眼フレーム画像を表示している間、第１眼鏡装置３１０の左眼フィルタ３３１が視聴者の左眼への光の透過を許容する一方で、第１眼鏡装置３１０の右眼フィルタ３３２は、視聴者の右眼への光の透過を抑制する。かくして、視聴者は左眼フレーム画像を左眼で視聴することができる。また、第１表示装置２１０が右眼フレーム画像を表示している間、第１眼鏡装置３１０の右眼フィルタ３３２が視聴者の右眼への光の透過を許容する一方で、第１眼鏡装置３１０の左眼フィルタ３３１は、視聴者の左眼への光の透過を抑制する。かくして、視聴者は右眼フレーム画像を右眼で視聴することができる。このような立体視補助動作を通じて、第１眼鏡装置３１０を装着した視聴者は第１表示装置２１０が表示する映像を３次元的に知覚することができる。
【００２６】
同様に、第１表示装置２１０と第２表示装置２２０との間で、第１期間及び／又は第２期間の適切な設定がなされると、第２表示装置２２０が左眼フレーム画像を表示している間、第２眼鏡装置３２０の左眼フィルタ３３１が視聴者の左眼への光の透過を許容する一方で、第２眼鏡装置３２０の右眼フィルタ３３２は、視聴者の右眼への光の透過を抑制する。かくして、視聴者は左眼フレーム画像を左眼で視聴することができる。また、第２表示装置２２０が右眼フレーム画像を表示している間、第２眼鏡装置３２０の右眼フィルタ３３２が視聴者の右眼への光の透過を許容する一方で、第２眼鏡装置３２０の左眼フィルタ３３１は、視聴者の左眼への光の透過を抑制する。かくして、視聴者は右眼フレーム画像を右眼で視聴することができる。このような立体視補助動作を通じて、第２眼鏡装置３２０を装着した視聴者は第２表示装置２２０が表示する映像を３次元的に知覚することができる。
【００２７】
眼鏡装置３００は、左眼フィルタ３３１と右眼フィルタ３３２との間に配設された第２受信素子３３３を含む。第２受信素子３３３は、映像のフレーム画像の表示に同期して送信される同期信号を受信する第２受信部として用いられる。上述の映像のフレーム画像の表示と光学フィルタ部３３０の立体視補助動作との間の同期は、第２受信素子３３３が送信素子２３２から同期信号を受信することにより達成される。送信素子２３２として、赤外線発光素子が用いられるとき、第２受信素子３３３として、赤外線受光素子が好適に用いられる。送信素子２３２として、ＲＦ送信機が用いられるとき、第２受信素子３３３として、ＲＦ受信機が好適に用いられる。代替的に、送信素子２３２が送信する同期信号を受信可能な任意の要素が、第２受信素子３３３として用いられてもよい。
【００２８】
（表示装置）
図２は、表示装置２００のハードウェア構成を概略的に示すブロック図である。図１及び図２を用いて、表示装置２００が説明される。尚、第１表示装置２１０及び第２表示装置２２０は同様のハードウェア構成を備えていてもよい。
【００２９】
表示装置２００は、第１処理回路２３４、表示パネル２３１、送信制御回路２３５、送信素子２３２、電源回路２３６、第２処理回路２３７、第１受信素子２３３、第１受信回路２３８及び遅延回路２３９を備える。
【００３０】
符号化された映像信号は、表示装置２００の第１処理回路２３４に入力される。第１処理回路２３４は、映像信号を復号化する。映像の符号化として、ＭＰＥＧ（Motion Picture Experts Group）−２、ＭＰＥＧ−４やＨ２６４といった方式が例示される。
【００３１】
第１処理回路２３４は、３次元映像の表示に関する信号処理を更に行う。第１処理回路２３４は、映像信号の処理を実行し、復号化された映像データを、３次元映像を表示するための映像信号として出力する。代替的に、第１処理回路２３４は、復号化された映像データから左眼フレーム画像を表示するための左眼用の映像信号と右眼フレーム画像を表示するための右眼用の映像信号とを検出してもよい。検出された左眼用の映像信号及び右眼用の映像信号それぞれは、左眼フレーム画像及び右眼フレーム画像として、表示パネル２３１に時間的に交互に表示される。更に代替的に、復号化された映像データから左眼フレーム画像を表示するための左眼用の映像信号と右眼フレーム画像を表示するための右眼用の映像信号とが自動的に生成され、第１処理回路２３４は、生成された左眼用の映像信号及び右眼用の映像信号を表示パネル２３１に交互に出力してもよい。３次元映像の表示に関する信号処理を行なった後、第１処理回路２３４は、表示パネル２３１の信号入力方式に適合した出力信号を生成する。
【００３２】
表示パネル２３１には、第１処理回路２３４から出力された映像信号（左眼フレーム画像及び右眼フレーム画像）が表示される。眼鏡装置３００を着用した視聴者は、眼鏡装置３００の立体視補助動作を通じて、表示パネル２３１に表示されるフレーム画像を３次元的に知覚することとなる。
【００３３】
第１処理回路２３４は、左眼フレーム画像の表示及び右眼フレーム画像の表示それぞれ或いは一方に同期する同期信号を更に生成する。生成された同期信号は、送信制御回路２３５へ出力される。
【００３４】
尚、第１処理回路２３４は、上記の処理以外の処理を実行してもよい。例えば、第１処理回路２３４は、表示パネル２３１の特性に応じて、表示する映像の色彩を調整する処理や復号化された映像データのフレーム画像間の映像を補間してもよい。この結果、映像のフレームレートが増加することとなる。
【００３５】
送信制御回路２３５は、第１処理回路２３４が生成した同期信号の送信のタイミングを制御し、間欠式の同期信号の送信を達成する。送信制御回路２３５は、上述の第１期間に同期信号を送信素子２３２へ出力する。この結果、第１期間中において、送信素子２３２は、上述の如く、眼鏡装置３００へ同期信号を送信する。送信制御回路２３５は、上述の第２期間に同期信号を送信素子２３２へ出力しない。この結果、第２期間中において、送信素子２３２は、同期信号の送信を停止する。尚、第１期間及び／又は第２期間のタイミングは、遅延回路２３９によって調整される。
【００３６】
送信素子２３２は、送信制御回路２３５による制御の下、同期信号を眼鏡装置３００へ送信する。上述の如く、眼鏡装置３００は、同期信号に基づいて、光学フィルタ部３３０の立体視補助動作を実行する。
【００３７】
電源回路２３６は、商用電源Ｅからの交流電力を直流電力へ変換し、表示装置２００を構成する各要素（例えば、第１処理回路２３４、表示パネル２３１や送信制御回路２３５）に電力供給を行う。
【００３８】
商用電源Ｅからの交流電圧は、電源回路２３６に入力される前に分岐して、第２処理回路２３７へも入力される。第２処理回路２３７は、商用電源Ｅからの交流電圧の波形を遅延回路２３９が読み取ることができる波形に変換する。
【００３９】
第１受信素子２３３は、上述の如く、リモートコントローラ４００からの制御信号を受信する。リモートコントローラ４００からの制御信号は、第１期間及び／又は第２期間のタイミングを調整するための信号の他、表示装置２００に様々な動作をさせるための様々な信号を含む。
【００４０】
第１受信回路２３８は、リモートコントローラ４００からの制御信号が含む情報を解析する。解析結果に基づき、第１受信回路２３８は、リモートコントローラ４００からの制御信号を表示装置２００の各構成要素に出力する。この結果、表示装置２００は、視聴者が望む動作を行うこととなる。
【００４１】
第１受信回路２３８の解析の結果、リモートコントローラ４００からの制御信号が、第１期間及び／又は第２期間のタイミングを調整するための信号であると判定されたとき、第１受信回路２３８は、遅延回路２３９へリモートコントローラ４００からの制御信号を出力する。
【００４２】
遅延回路２３９は、第２処理回路２３７によって処理された後の信号（以下、処理信号と称される）及びリモートコントローラ４００からの制御信号に基づき、第１期間の開始及び／又は終了（及び／又は、第２期間の開始及び／又は終了）のタイミングを決定する。遅延回路２３９は、第１期間及び／又は第２期間のタイミングの情報を送信制御回路２３５へ出力する。
【００４３】
図３は、第２処理回路２３７のハードウェア構成を概略的に示す。図３を用いて、第２処理回路２３７のハードウェア構成が説明される。
【００４４】
第２処理回路２３７は、絶縁回路２４１、レベル変換回路２４２及び波形整形回路２４３を備える。絶縁回路２４１は、商用電源Ｅからの交流電圧（例えば、１００Ｖ）を絶縁する。レベル変換回路２４２は、絶縁された交流電圧を数Ｖ程度の正弦波電圧信号として取り込む。波形整形回路２４３は、レベル変換回路により生成された正弦波電圧信号を方形波の処理信号に波形整形する波形整形部として用いられる。第２処理回路２３７は、例えば、絶縁トランスやフォトカプラといった素子を用いて構築されてもよい。
【００４５】
図４は、商用電源Ｅからの交流電圧波形と第２処理回路２３７によって生成された処理信号との間の関係を概略的に示す。図３及び図４を用いて、交流電圧波形と処理信号との間の関係が説明される。
【００４６】
商用電源Ｅからの交流電圧の周期は、典型的には、１／５０秒又は１／６０秒である。第２処理回路２３７は、交流電圧と略等しい周期（周波数）の処理信号を生成する。
【００４７】
図５は、表示装置２００の機能構成を概略的に示すブロック図である。図１乃至図５を用いて、表示装置２００が更に説明される。
【００４８】
表示装置２００は、復号化部２５８、Ｌ／Ｒ信号分離部２５０、立体信号処理部２４９、表示部２５１、同期信号生成部２５４、送信制御部２５５、送信部２５２、第１受信部２５３、電力供給部２５６、入力部２５７及び決定部２５９を備える。
【００４９】
復号化部２５８は、符号化された映像信号が入力される。復号化部２５８は、入力された映像信号を復号する。
【００５０】
Ｌ／Ｒ信号分離部２５０は、復号化部２５８が復号した映像信号から左眼用及び右眼用の映像信号（左眼フレーム画像及び右眼フレーム画像）を生成若しくは分離する。
【００５１】
立体信号処理部２４９は、眼鏡装置３００を通じて視認される映像を表示する表示部２５１の特性に応じて、Ｌ／Ｒ信号分離部２５０で分離された左眼用及び右眼用の映像信号を調整する。例えば、立体信号処理部２４９は、表示部２５１の表示面の大きさに応じて、左眼フレーム画像と右眼フレーム画像との間の視差量を調整する処理を実行する。尚、表示部２５１は、図１に例示される表示パネル２３１に相当する。
【００５２】
同期信号生成部２５４は、Ｌ／Ｒ信号分離部２５０が生成した左眼フレーム画像及び右眼フレーム画像と同期又は対応した同期信号を生成する。この際、表示部２５１の特性に応じて、生成される同期信号の種類（例えば、波形）や生成タイミングが調整される。
【００５３】
復号化部２５８、Ｌ／Ｒ信号分離部２５０、立体信号処理部２４９並びに同期信号生成部２５４は、図２に関連して説明されたハードウェア構成において、第１処理回路２３４に該当する。
【００５４】
表示部２５１は、立体信号処理部２４９によって処理された映像信号を映像として表示する。上述の如く、図２に関連して説明されたハードウェア構成において、表示部２５１は、表示パネル２３１に該当する。
【００５５】
電力供給部２５６は、商用電源Ｅからの交流電力を直流電力へ変換し、表示装置２００を構成する各要素（例えば、復号化部２５８、Ｌ／Ｒ信号分離部２５０、立体信号処理部２４９、表示部２５１、同期信号生成部２５４や送信制御部２５５）に電力供給を行う。電力供給部２５６は、図２に関連して説明されたハードウェア構成において、電源回路２３６に該当する。
【００５６】
本実施形態において、基準信号として用いられる商用電源Ｅからの交流電圧は、電力供給部２５６に入力される前に分岐して、入力部２５７へも入力される。入力部２５７は、図３及び図４に関連して説明された如く、商用電源Ｅからの交流電圧に基づき、決定部２５９が交流電圧の周波数や交流電圧の毎周期の位相を読み取ることができるように、処理信号を生成する。入力部２５７は、図２に関連して説明されたハードウェア構成において、第２処理回路２３７に該当する。
【００５７】
第１受信部２５３は、リモートコントローラ４００からの制御信号を受信し、リモートコントローラ４００からの制御信号が含む第１期間及び／又は第２期間のタイミングに関する情報を、決定部２５９へ出力する。第１受信部２５３は、図２に関連して説明されたハードウェア構成において、第１受信素子２３３及び第１受信回路２３８に該当する。
【００５８】
決定部２５９は、入力部２５７からの処理信号及びリモートコントローラ４００からの制御信号を用いて、第１期間の開始及び／又は終了（及び／又は、第２期間の開始及び／又は終了）のタイミングを決定し、間欠式の同期信号の送信を規定する。決定部２５９は、第１期間及び／又は第２期間のタイミングの情報を送信制御部２５５へ出力する。決定部２５９は、図２に関連して説明されたハードウェア構成において、遅延回路２３９に該当する。
【００５９】
送信制御部２５５は、送信部２５２を制御し、間欠式の同期信号の送信を達成する。送信制御部２５５は、決定部２５９が決定した第１期間に同期信号を送信部２５２へ出力する。この結果、第１期間中において、送信部２５２は、眼鏡装置３００へ、表示部２５１によるフレーム画像の表示に同期する同期信号を送信する。送信制御部２５５は、第２期間に同期信号を送信部２５２へ出力しない。この結果、第２期間中において、送信部２５２は、同期信号の送信を停止する。尚、第１期間及び／又は第２期間のタイミングは、決定部２５９によって調整される。送信制御部２５５は、図２に関連して説明されたハードウェア構成において、送信制御回路２３５に該当する。
【００６０】
送信部２５２は、同期信号生成部２５４で生成された同期信号を、送信制御部２５５の制御下で、眼鏡装置３００へ送信する。送信部２５２は、図２に関連して説明されたハードウェア構成において、送信素子２３２に該当する。
【００６１】
（眼鏡装置）
図６は、眼鏡装置３００のハードウェア構成を概略的に示すブロック図である。図１及び図６を用いて、眼鏡装置３００が説明される。
【００６２】
眼鏡装置３００は、電池３３８、受信回路３３５、タイミング信号生成回路３３６、駆動回路３３７及び光学フィルタ部３３０を備える。
【００６３】
電池３３８は、眼鏡装置３００の電源として用いられる。受信回路３３５、タイミング信号生成回路３３６及び駆動回路３３７は、電池３３８から電力の供給を受ける。
【００６４】
受信回路３３５は、第２受信素子３３３及び第３処理回路３３４を含む。第２受信素子３３３は、表示装置２００から送信された同期信号を受信する。第３処理回路３３４は、第２受信素子３３３が受信した同期信号を所定の電気信号として、タイミング信号生成回路３３６へ出力する。
【００６５】
タイミング信号生成回路３３６は、受信回路３３５から出力された電気信号に基づき、タイミング信号を生成する。タイミング信号は、第２受信素子３３３が受信した同期信号と同期するように生成される。生成されたタイミング信号は、駆動回路３３７へ出力される。
【００６６】
駆動回路３３７は、タイミング信号に基づいて、光学フィルタ部３３０を制御する。この結果、表示部２５１が左眼フレーム画像を表示している間、左眼フィルタ３３１は視聴者の左眼へ到達する左眼フレーム画像からの光量を増大させる一方で、右眼フィルタ３３２は視聴者の右眼へ到達する左眼フレーム画像からの光量を低減させる。また、表示部２５１が右眼フレーム画像を表示している間、右眼フィルタ３３２は視聴者の右眼へ到達する右眼フレーム画像からの光量を増大させる一方で、左眼フィルタ３３１は視聴者の左眼へ到達する右眼フレーム画像からの光量を低減させる。
【００６７】
図７は、眼鏡装置３００の機能構成を概略的に示すブロック図である。図１、図６及び図７を用いて、眼鏡装置３００が更に説明される。
【００６８】
眼鏡装置３００は、電池３３８、第２受信部３４５、タイミング信号生成部３４６、制御部３４７、記憶部３４８及び光学フィルタ部３３０を備える。
【００６９】
電池３３８は、眼鏡装置３００の電源として用いられる。第２受信部３４５、タイミング信号生成部３４６及び制御部３４７は、電池３３８から電力の供給を受ける。
【００７０】
第２受信部３４５は、表示装置２００から送信された同期信号を受信する。第２受信部３４５は、受信した同期信号を所定の電気信号に変換し、タイミング信号生成部３４６へ出力する。第２受信部３４５は、図６に関連して説明された受信回路３３５に該当する。
【００７１】
記憶部３４８は、第１期間の長さに関する情報及び／又は第２期間の長さに関する情報を予め記憶する。タイミング信号生成部３４６は、記憶部３４８に記憶された第１期間の長さに関する情報及び／又は第２期間の長さに関する情報を読み出す。タイミング信号生成部３４６は、例えば、第１期間において最初に受信された同期信号から記憶部３４８に記憶された第１期間の長さに相当する期間に受信された同期信号に基づき、タイミング信号を生成する。タイミング信号生成部３４６は、第１期間の長さに相当する期間が経過した後、記憶部３４８に記憶された第２期間の長さに相当する期間に第２受信部３４５が受信した同期信号を無視し、第２期間の間も、第１期間に受信された同期信号に基づき、タイミング信号を生成し続ける。
【００７２】
制御部３４７は、タイミング信号に基づいて、光学フィルタ部３３０を制御する。この結果、表示部２５１が左眼フレーム画像を表示している間、左眼フィルタ３３１は視聴者の左眼へ到達する左眼フレーム画像からの光量を増大させる一方で、右眼フィルタ３３２は視聴者の右眼へ到達する左眼フレーム画像からの光量を低減させる。また、表示部２５１が右眼フレーム画像を表示している間、右眼フィルタ３３２は視聴者の右眼へ到達する右眼フレーム画像からの光量を増大させる一方で、左眼フィルタ３３１は視聴者の左眼へ到達する右眼フレーム画像からの光量を低減させる。
【００７３】
（同期信号の通信）
図８は、同期信号の通信を概略的に説明する模式図である。図８のセクション（ａ）は、表示部２５１が表示するフレーム画像を示す。図８のセクション（ｂ）は、送信部２５２からの同期信号の送信を示す。図８のセクション（ｃ）は、第２受信部３４５による同期信号の受信を示す。図８のセクション（ｄ）は、タイミング信号生成部３４６によるタイミング信号の生成を示す。図１、図５、図７及び図８を用いて、同期信号の通信が説明される。
【００７４】
図８のセクション（ａ）に示される如く、表示部２５１は、左眼フレーム画像５１０と、右眼フレーム画像５２０とを交互に表示する。送信部２５２は、送信制御部２５５の制御下で、第１期間中、左眼フレーム画像５１０の表示及び／又は右眼フレーム画像５２０の表示に同期して、同期信号を送信する。尚、左眼フレーム画像５１０の表示に同期する同期信号の波形は、右眼フレーム画像５２０の表示に同期する同期信号の波形と異なることが好ましい。第２受信部３４５は、第１期間の間、同期信号を受信する。また、第２受信部３４５は、第２期間の間、同期信号を受信しない。
【００７５】
記憶部３４８は、第１期間の長さに関するデータ「Ｘ」及び第２期間の長さに関するデータ「Ｙ」を予め記憶している。タイミング信号生成部３４６は、第１期間中に受信された最初の同期信号の受信時刻「ｔ１」から時刻「ｔ１＋Ｘ」までの期間に受信された同期信号の受信間隔や同期信号の波形を測定或いは解析する。タイミング信号生成部３４６は、同期信号の波形に基づき、左眼フレーム画像５１０の表示に同期する同期信号と右眼フレーム画像５２０の表示に同期する同期信号とを識別する。また、左眼フレーム画像５１０の表示に同期する同期信号の受信間隔を算出する。同様に、右眼フレーム画像５２０の表示に同期する同期信号の受信間隔を算出する。
【００７６】
第１期間中、タイミング信号生成部３４６は、同期信号の受信に同期して、左眼フィルタ３３１の駆動に用いられるタイミング信号及び右眼フィルタ３３２の駆動に用いられるタイミング信号を生成する。第２期間中、タイミング信号生成部３４６は、第１期間中に受信された同期信号のうち最後に受信された同期信号の受信時刻に上述の如く算出された同期信号の受信間隔の整数倍の値を加算する。第１期間中、最後に表示された左眼フレーム画像５１０に同期する同期信号の受信時刻に算出された同期信号の受信間隔の整数倍の値が加算された時刻に、タイミング信号生成部３４６は、第２期間中の左眼フレーム画像５１０の表示に同期するタイミング信号を生成する。このタイミング信号は、左眼フィルタ３３１を駆動するために用いられる。同様に、第１期間中、最後に表示された右眼フレーム画像５２０に同期する同期信号の受信時刻に算出された同期信号の受信間隔の整数倍の値が加算された時刻に、タイミング信号生成部３４６は、第２期間中の右眼フレーム画像５２０の表示に同期するタイミング信号を生成する。このタイミング信号は、右眼フィルタ３３２を駆動するために用いられる。かくして、同期信号が受信される第１期間及び同期信号が受信されない第２期間を通じて、光学フィルタ部３３０は適切に制御されることとなる。
【００７７】
第１眼鏡装置３１０が、第２期間中（即ち、時刻「ｔ１＋Ｘ」から時刻「ｔ１＋Ｘ＋Ｙ」までの期間）に、第２表示装置２２０からの同期信号を受信したとき、第１眼鏡装置３１０のタイミング信号生成部３４６は、当該同期信号の受信を無視する。かくして、第１眼鏡装置３１０は、第２期間中の第２表示装置２２０からの同期信号に影響されることなく、適切に立体視補助動作を継続することができる。同様に、第２眼鏡装置３２０が、第２期間中に、第１表示装置２１０からの同期信号を受信したとき、第２眼鏡装置３２０のタイミング信号生成部３４６は、当該同期信号の受信を無視する。かくして、第２眼鏡装置３２０は、第２期間中の第１表示装置２１０からの同期信号に影響されることなく、適切に立体視補助動作を継続することができる。
【００７８】
図９は、第１表示装置２１０の同期信号の送信及び第２表示装置２２０の同期信号の送信を概略的に示す。図１、図５及び図９を用いて、同期信号の送信が説明される。
【００７９】
上述の如く、表示装置２００の決定部２５９は、同期信号が送信される第１期間と同期信号が送信されない第２期間と、を含む間欠式の送信周期を決定する。第１表示装置２１０の決定部２５９は、第２表示装置２２０の第１期間と重複しないように第１期間を決定する。この結果、第１表示装置２１０が決定した第１期間は、第２表示装置２２０の第２期間中に設定されることとなる。上述の如く、第２表示装置２２０が表示する映像の視聴を補助する第２眼鏡装置３２０は、第２期間中に受信される第１表示装置２１０からの同期信号に影響を受けることなく、適切に立体視補助動作を継続する。
【００８０】
同様に、第２表示装置２２０の決定部２５９は、第１表示装置２１０の第１期間と重複しないように第１期間を決定する。この結果、第２表示装置２２０が決定した第１期間は、第１表示装置２１０の第２期間中に設定されることとなる。上述の如く、第１表示装置２１０が表示する映像の視聴を補助する第１眼鏡装置３１０は、第２期間中に受信される第２表示装置２２０からの同期信号に影響を受けることなく、適切に立体視補助動作を継続する。図９に示される如く、決定部２５９は、第１表示装置２１０からの同期信号と第２表示装置２２０からの同期信号との混信を避けるように第１期間及び／又は第２期間を定める。
【００８１】
図１０及び図１１は、第１期間及び／又は第２期間のタイミングの調整を概略的に説明する。図１、図５、図９乃至図１１を参照しつつ、第１期間及び／又は第２期間のタイミングの調整が説明される。
【００８２】
図１０及び図１１において、第２表示装置２２０を基準に、第１表示装置２１０の第１期間及び／又は第２期間のタイミングが調整される。第１表示装置２１０の第１期間及び／又は第２期間のタイミングが調整される前において、第１表示装置２１０に設定された第１期間は、第２表示装置２２０に設定された第１期間と重なっている。
【００８３】
第１表示装置２１０及び第２表示装置２２０は、共通の商用電源Ｅからの交流電圧（６０Ｈｚ）を基準信号として用いている。したがって、第１表示装置２１０の入力部２５７及び第２表示装置２２０の入力部２５７には、共通する基準信号が入力されることとなる。この結果、第１表示装置２１０の入力部２５７が出力する処理信号の位相及び周期は、第２表示装置２２０の入力部２５７が出力する処理信号の位相及び周期に略等しくなる。
【００８４】
決定部２５９は、１周期の処理信号に対して、カウント値を割り当てる。本実施形態において、決定部２５９は、１秒間に生成される処理信号の周期群を、互いに異なるカウント値が割り当てられる１つのグループとして取り扱う。したがって、１秒間に生成される処理信号に対して６０のカウント値が割り当てられている。図１０において、第１表示装置２１０と第２表示装置２２０との間で、略同一位相に存する処理信号の周期に対して同一のカウント値が割り当てられているが、図１１に示されるように、第１表示装置２１０と第２表示装置２２０との間で、略同一位相に存する処理信号の周期に対して異なるカウント値が割り当てられてもよい。図１１に示される第２表示装置２２０は、「１」から「６０」までのカウント値を用いているが、図１１に示される第１表示装置２１０は、「２１」から「８０」までのカウント値を用いている。第１表示装置２１０及び第２表示装置２２０が用いるカウント値の総数は、互いに等しくなるように予め定められている。カウント値の総数は、図９に関連して説明された間欠式の送信周期を定める。第１表示装置２１０及び第２表示装置２２０が互いに等しいカウント数を用い、共通する基準信号に基づき生成された処理信号の周期に対してカウント数を割り当てることによって、第１表示装置２１０及び第２表示装置２２０は、互いに等しい送信周期で、同期信号を送信することができる。
【００８５】
第２表示装置２２０の決定部２５９は、カウント値「１」からカウント値「２０」までの期間を第１期間として定めている。また、第２表示装置２２０の決定部２５９は、カウント値「２１」からカウント値「６０」までの期間を第２期間として定めている。図１０に示される調整前の第１表示装置２１０の決定部２５９は、同様に、カウント値「１」からカウント値「２０」までの期間を第１期間として定め、カウント値「２１」からカウント値「６０」までの期間を第２期間として定めている。図１１に示される調整前の第１表示装置２１０の決定部２５９は、カウント値「２１」からカウント値「４０」までの期間を第１期間として定め、残りの期間（カウント値「４１」からカウント値「２０」までの期間）を第２期間として定めている。
【００８６】
第１期間及び／又は第２期間のタイミングの調整がなされる前において、第１表示装置２１０に設定された第１期間は、第２表示装置２２０に設定された第１期間に重なっている。したがって、第１眼鏡装置３１０の動作は、第１表示装置２１０からの同期信号だけでなく、第２表示装置２２０からの同期信号にも影響されることとなる。この結果、第１眼鏡装置３１０を装着して第１表示装置２１０を視聴する視聴者は、映像を立体的に知覚することができなくなる。かくして、視聴者は、第１表示装置２１０と第２表示装置２２０との間で混信が生じていることを認識することができる。
【００８７】
図１２は、表示部２５１に表示される第１期間及び／又は第２期間のタイミングを調整するための画像を例示する。図１、図５、図１０乃至図１２を参照しつつ、第１期間及び／又は第２期間のタイミングの調整が更に説明される。
【００８８】
表示部２５１は、例えば、第１期間の開始時のカウント値を現在位置として表示する。視聴者は、表示部２５１に表示された現在位置を参照し、リモートコントローラ４００を用いて、所望のカウント値を入力することができる。図１２に示されるように、調整モード画面上に、３次元的に知覚されるように描写或いは撮影されたオブジェクトＯが表示されてもよい。視聴者は、オブジェクトＯを立体的に知覚できるようになるまで（即ち、同期信号の混信が解消されるまで）、カウント値の入力を続ける。
【００８９】
図１０及び図１２に示される第１期間の調整では、視聴者が第１リモートコントローラ４１０を通じて、カウント値「３１」を入力する。第１受信部２５３は、カウント値「３１」の情報を含む制御信号を第１リモートコントローラ４１０から受信し、当該情報を決定部２５９へ出力する。決定部２５９は、例えば、調整前の現在位置として示されたカウント値「１」と入力されたカウント値「３１」の差分演算を実行する。決定部２５９は更に、算出された差分値に、１秒当たりに割り当てられたカウント値の総数（図１０及び図１２に示される調整においては、「６０」）の逆数を乗算し、遅延時間Ｄを算出する。決定部２５９はその後、調整前の第１期間の開始時刻に対して遅延時間Ｄだけ遅れた時刻を調整後の第１期間の開始時刻ｔｓとして決定する。本実施形態において、第１期間の長さは、「０．３３３秒」の値に予め定められている。決定部２５９は、決定された第１期間の開始時刻ｔｅに「０．３３３秒」を加算して得られる時刻を第１期間の終了時刻として決定する。かくして、第２表示装置２２０に設定された第２期間内に、第１表示装置２１０の第１期間が適切に設定されることとなる（即ち、第１表示装置２１０の決定部２５９は、第２表示装置２２０の決定部２５９が決定した第１期間と重ならないように第１期間のタイミングを設定する）。このようにカウント値を用いて、第１期間のタイミングを、共通する基準信号に基づき生成された処理信号の周期単位で遅らせることにより、第１表示装置２１０は、第２表示装置２２０から送信される同期信号との混信を好適に抑制することができる。図１１に示される第１表示装置２１０も同様の手法で、第１期間のタイミングを適切に調整することができる。
【００９０】
本実施形態では、入力されたカウント値「３１」から差分値「３０」が算出され、その後、この差分値に相当する遅延時間Ｄが算出される。更に、算出された遅延時間Ｄに基づいて、調整後の第１期間の開始時刻ｔｓが算出される。開始時刻ｔｓは、他の手法に従って、算出されてもよい。例えば、調整前の第１期間の開始時刻に相当するカウント値「２１」に、上記調整前と調整後のカウントの差分値「３０」が加算される。この加算結果「５１」から、実際の調整後の第１期間の開始時刻ｔｓが算出されてもよい。
【００９１】
（第２実施形態）
図１０乃至図１２に関連して説明された第１期間及び／又は第２期間のタイミングの決定は、リモートコントローラ４００からの制御信号が、第１期間のタイミングを調整するための外部信号として用いられているが、他の信号が外部信号として用いられてもよい。
【００９２】
図１３は、表示装置の機能構成を概略的に示すブロック図である。図１３を用いて、第２実施形態に係る表示装置が更に説明される。
【００９３】
本実施形態において、表示装置２００Ａ（第１表示装置２１０Ａ及び第２表示装置２２０Ａ）の第１受信部２５３Ａは、第１実施形態のリモートコントローラ４００（図１参照）からの制御信号に代えて、第１表示装置２１０Ａ及び第２表示装置２２０Ａから送信された同期信号を受信する。第１表示装置２１０Ａ及び第２表示装置２２０Ａの送信部２５２から送信された同期信号は、例えば、第１表示装置２１０Ａ及び第２表示装置２２０Ａが置かれた空間を形成する壁部によって反射され、第１表示装置２１０Ａ及び第２表示装置２２０Ａの第１受信部２５３Ａによって受信される。第１受信部２５３Ａは、同期信号の受信時刻に関する情報を決定部２５９Ａへ出力する。送信制御部２５５Ａは、同期信号の送信時刻に関する情報を決定部２５９Ａへ出力する。決定部２５９Ａは、同期信号の受信時刻に関する情報及び同期信号の送信時刻に関する情報に基づき、第１期間のタイミングの調整の要否を判定する。他の構成要素は、図５に関連して説明された第１実施形態に係る表示装置２００と同様である。
【００９４】
図１４は、第１表示装置２１０Ａの同期信号の送受信を概略的に説明する模式図である。図１４のセクション（ａ）は、第１表示装置２１０Ａの表示部２５１が表示するフレーム画像を示す。図１４のセクション（ｂ）は、第１表示装置２１０Ａの送信部２５２からの同期信号の送信を示す。図１４のセクション（ｃ）は、第１表示装置２１０Ａの第１受信部２５３による同期信号の受信を示す。図７、図１３及び図１４を参照しつつ、同期信号の送受信が説明される。尚、図１４に関連して説明される同期信号の送受信は、第２表示装置２２０Ａにも同様に適用される。
【００９５】
第１期間中において、上述の如く、第１表示装置２１０Ａの送信部２５２は、送信制御部２５５Ａの制御下で、左眼フレーム画像５１０及び右眼フレーム画像５２０の表示にそれぞれ同期する同期信号を送信する。本実施形態において、送信部２５２は、左眼フレーム画像５１０の表示の開始に同期する同期信号６１０、左眼フレーム画像５１０の表示の終了に同期する同期信号６２０、右眼フレーム画像５２０の表示の開始に同期する同期信号６３０及び右眼フレーム画像５２０の表示の終了に同期する同期信号６４０を送信する。第１表示装置２１０Ａの送信制御部２５５Ａは、決定部２５９Ａに、同期信号６１０，６２０，６３０，６４０それぞれの送信時刻に関する情報を出力する。
【００９６】
第１眼鏡装置３１０が同期信号６１０を受信すると、第１眼鏡装置３１０の左眼フィルタ３３１は、視聴者の左眼へ到達する光量を増大させるように動作する。第１眼鏡装置３１０が同期信号６２０を受信すると、第１眼鏡装置３１０の左眼フィルタ３３１は、視聴者の左眼へ到達する光量を減少させるように動作する。第１眼鏡装置３１０が同期信号６３０を受信すると、第１眼鏡装置３１０の右眼フィルタ３３２は、視聴者の右眼へ到達する光量を増大させるように動作する。第１眼鏡装置３１０が同期信号６４０を受信すると、第１眼鏡装置３１０の右眼フィルタ３３２は、視聴者の右眼へ到達する光量を減少させるように動作する。
【００９７】
第１表示装置２１０Ａの送信部２５２から送信された同期信号６１０，６２０，６３０，６４０は、上述の如く、第１表示装置２１０Ａ及び第２表示装置２２０Ａが置かれた空間を形成する任意の壁部に反射され、第１表示装置２１０Ａの第１受信部２５３Ａによって受信される。第１受信部２５３Ａは、同期信号６１０，６２０，６３０，６４０それぞれの送信時刻と略同時刻に、同期信号６１０，６２０，６３０，６４０を受信し、同期信号６１０，６２０，６３０，６４０それぞれの受信時刻に関する情報を決定部２５９Ａに出力する。決定部２５９Ａは、同期信号６１０，６２０，６３０，６４０の送信時刻と受信時刻とを比較し、これらの間の差が所定の範囲以内に収まっているとき、第１受信部２５３Ａが受信した同期信号６１０，６２０，６３０，６４０は、第１表示装置２１０Ａが送信した第１同期信号であると判定する。
【００９８】
図１４のセクション（ｃ）に示される如く、第１受信部２５３Ａは、同期信号６１０，６２０，６３０，６４０に加えて、信号６５０を受信している。第１受信部２５３Ａは、信号６５０の受信時刻に関する情報を決定部２５９Ａへ出力する。決定部２５９Ａは、信号６５０の受信時刻と同期信号６１０，６２０，６３０，６４０の送信時刻とを比較する。図１４のセクション（ｃ）に示される如く、信号６５０の受信時刻は、同期信号６１０，６２０，６３０，６４０それぞれの送信時刻と大きく異なるので、決定部２５９Ａは、信号６５０は第２表示装置２２０Ａから送信された第２同期信号であると判定する。
【００９９】
決定部２５９Ａが設定した第１期間中において、同期信号６１０，６２０，６３０，６４０以外の信号６５０を受信しているとき、決定部２５９Ａは、第１期間のタイミングを調整する。
【０１００】
図１５は、第１表示装置２１０Ａによる第１期間及び／又は第２期間のタイミングの調整を概略的に説明する。図１３乃至図１５を用いて、第１期間及び／又は第２期間のタイミングの調整が説明される。
【０１０１】
第１実施形態と同様に、決定部２５９Ａは、入力部２５７が生成する処理信号に基づき、カウント値を割り当てる。第１期間及び／又は第２期間のタイミングの調整前において、決定部２５９Ａは、カウント値「１」からカウント値「２０」までの期間を第１期間として設定している。また、カウント値「２１」からカウント値「６０」までの期間を第２期間として設定している。
【０１０２】
図１４に関連して説明された如く、同期信号６１０，６２０，６３０，６４０以外の信号６５０を受信しているとき、決定部２５９Ａは、所定のカウント値（遅延時間Ｄ）（例えば、「３０」のカウント値）分だけ第１期間のタイミングを遅らせる。第１期間の遅延量は予め定められていてもよい。また、第１期間の遅延量は、第１表示装置２１０Ａ及び／又は第２表示装置２２０Ａで異なる遅延量であってもよい。両表示装置間で加算する遅延量が異なるため、それぞれの表示装置が第１期間のタイミングを調整することで再度のオーバーラップが抑制される。それぞれの表示装置は、第１期間の遅延量を、例えば、乱数に基づいて決定してもよい。
【０１０３】
図１６は、第１期間及び／又は第２期間のタイミングが調整された後の第１表示装置２１０Ａの同期信号の送受信を概略的に説明する模式図である。図１６のセクション（ａ）は、第１表示装置２１０Ａの表示部２５１が表示するフレーム画像を示す。図１６のセクション（ｂ）は、第１表示装置２１０Ａの送信部２５２からの同期信号の送信を示す。図１６のセクション（ｃ）は、第１表示装置２１０Ａの第１受信部２５３による同期信号の受信を示す。図１３、図１４及び図１６を用いて、同期信号の通信が説明される。
【０１０４】
図１６に示される如く、第１期間及び／又は第２期間のタイミングが調整された後の第１表示装置２１０Ａは、信号６５０を受信していない。したがって、第１表示装置２１０Ａの決定部２５９Ａは、新たに決定された第１期間において、第１表示装置２１０Ａの第１受信部２５３Ａが第２表示装置２２０Ａの送信部２５２から送信された第２同期信号を受信していないと判定する。かくして、第１表示装置２１０Ａの決定部２５９Ａは、第１期間のタイミングの調整が適切になされたと判定し、第１期間のタイミングの調整を終了する。
【０１０５】
（第３実施形態）
図１７は、第３実施形態に係る映像システムを概略的に示す。尚、図１７に示される映像システムは、単に、本実施形態の原理を明瞭に説明するために示される。したがって、本実施形態の原理は、図１７に示される詳細な構造、配置や形状に何ら限定されるものではない。
【０１０６】
第３の実施形態に係る映像システム１００Ｂは、表示装置２００Ｂと眼鏡装置３００とを含む。本実施形態において、第１期間のタイミングの調整には、第１実施形態に関連して説明された方法及び第２実施形態に関連して説明された方法のいずれかが適用される。したがって、第２実施形態に関連して説明された方法が用いられる場合には、図１７に示されるリモートコントローラ４００は必要とされない。
【０１０７】
表示装置２００Ｂは、第１表示装置２１０Ｂと第２表示装置２２０Ｂとを含む。第１表示装置２１０Ｂ及び第２表示装置２２０Ｂは、商用電源Ｅから電力供給を受けるが、本実施形態において、商用電源Ｅからの交流電圧は基準信号として用いられない。本実施形態では、商用電源Ｅからの交流電圧の代わりに、第１表示装置２１０Ｂ及び第２表示装置２２０Ｂが置かれた空間Ｒの照明設備として用いられる光源Ｆからの光の点滅が基準信号として用いられる。
【０１０８】
表示装置２００Ｂは、光源Ｆからの光の点滅を検知するための照度センサ２７０を備える。照度センサ２７０は、所定の値を超える照度を検知すると高い電圧の信号を出力し、所定の値以下の照度を検知すると低い電圧の信号を出力する。かくして、照度センサ２７０は、光源Ｆが点灯しているときは、高い電圧の信号を出力し、光源Ｆが消灯しているときは、低い電圧の信号を出力する。光源Ｆは、商用電源Ｅからの交流電圧が５０Ｈｚの周波数であるならば、一般的に、１００Ｈｚの周波数で点滅し、商用電源Ｅからの交流電圧が６０Ｈｚの周波数であるならば、一般的に、１２０Ｈｚの周波数で点滅する。照度センサ２７０は、このような光源Ｆの点滅を検知する。
【０１０９】
表示装置２００Ｂの他の構成、眼鏡装置３００及び／又はリモートコントローラ４００の構成は第１実施形態及び第２実施形態に関連して説明されたものと同様である。
【０１１０】
図１８は、表示装置２００Ｂのハードウェア構成を概略的に示すブロック図である。図１８と併せて、図１７を参照しつつ、表示装置２００Ｂが説明される。尚、第１表示装置２１０Ｂ及び第２表示装置２２０Ｂは同様のハードウェア構成を備えていてもよい。
【０１１１】
表示装置２００Ｂは、第１処理回路２３４、表示パネル２３１、送信制御回路２３５、送信素子２３２、電源回路２３６、第１受信素子２３３、第１受信回路２３８、遅延回路２３９Ｂ及び照度センサ２７０を備える。
【０１１２】
上述の如く、照度センサ２７０は、光源Ｆからの光の点滅を検知するとともに光の点滅の周波数や光の点滅の毎周期の位相を決定部２５９へ通知するための検知信号を遅延回路２３９Ｂへ出力する検知部として用いられる。遅延回路２３９Ｂは、照度センサ２７０からの検知信号に基づき、同期信号が送信される第１期間と同期信号が送信されない第２期間とを含む送信周期を決定する。
【０１１３】
他の構成は、第１実施形態及び／又は第２実施形態に関連して説明されたものと同様である。
【０１１４】
図１９は、表示装置２００Ｂの機能構成を概略的に示すブロック図である。図１７乃至図１９を参照しつつ、表示装置２００Ｂが更に説明される。
【０１１５】
表示装置２００Ｂは、復号化部２５８、Ｌ／Ｒ信号分離部２５０、立体信号処理部２４９、表示部２５１、同期信号生成部２５４、送信制御部２５５、送信部２５２、第１受信部２５３、電力供給部２５６、入力部２５７Ｂ及び決定部２５９Ｂを備える。
【０１１６】
本実施形態において、入力部２５７Ｂは、照度センサ２７０に該当する。入力部２５７Ｂは、光源Ｆからの光の点滅を検知するとともに光の点滅の周波数を通知するために照度センサ２７０による検知信号を決定部２５９Ｂへ出力する。決定部２５９Ｂは、入力部２５７Ｂからの検知信号に基づき、同期信号が送信される第１期間と同期信号が送信されない第２期間とを含む送信周期を決定する。
【０１１７】
図２０は、間欠式の送信周期の決定手法を概略的に説明する模式図である。図１７乃至図２０を用いて、間欠式の送信周期の決定手法が説明される。
【０１１８】
１２０Ｈｚの周波数で点滅する光源Ｆが基準信号として用いられるとき、入力部２５７Ｂとして用いられる照度センサ２７０は、１２０Ｈｚの方形波の電圧信号を出力する。決定部２５９Ｂは、「１」から「１２０」までのカウント値を方形波の周期に割り当てる。この結果、１秒間当たりに出力される照度センサ２７０の出力波の周期にそれぞれ異なるカウント値が割り当てられる。決定部２５９Ｂは、４０の連続するカウント値を第１期間とし、残りのカウント値を第２期間として規定する。図１２には、「１」から「４０」のカウント値に相当する期間が、同期信号が送信される第１期間として決定され、「４１」から「１２０」に相当する期間が、同期信号が送信されない第２期間として決定されている。
【０１１９】
視聴者は、第１実施形態で説明されたように、眼鏡装置３００を装着し、表示部２５１に表示される３次元映像を視聴しながら、リモートコントローラ４００を通じて、第１期間及び／又は第２期間のタイミングの調整を行ってもよい。代替的に、第２実施形態で説明されたように、決定部２５９Ｂは、送信部２５２から送信された同期信号の送信時刻と第１受信部２５３によって受信された同期信号の受信時刻とを対比しつつ、第１期間及び／又は第２期間のタイミングの調整を行ってもよい。
【０１２０】
（多数の表示装置への適用）
第１実施形態乃至第３実施形態を通じて、２つの表示装置２００，２００Ａ，２００Ｂ（第１表示装置２１０，２１０Ａ，２１０Ｂ及び第２表示装置２２０，２２０Ａ，２２０Ｂ）間での同期信号の混信の抑制が説明されてきたが、上述の原理は、３以上の表示装置に対しても適用可能である。
【０１２１】
図２１は、３つの表示装置（第１表示装置、第２表示装置、第３表示装置）を含む映像システムに適用された同期信号の混信の抑制原理を概略的に説明する。
【０１２２】
第１表示装置、第２表示装置及び第３表示装置は、共通する基準信号（例えば、商用電源や光源）に基づき、第１期間と第２期間とを含む間欠式の送信周期を決定する。かくして、第１表示装置、第２表示装置及び第３表示装置が決定する送信周期は互いに等しくなる。
【０１２３】
第１表示装置、第２表示装置及び第３表示装置それぞれは、決定された送信周期内で、互いに等しい時間長さの第１期間を定める。上述の如く、第１期間の長さは、共通の基準信号の周期単位（即ち、カウント値を用いて）で決定されることが好ましい。第１表示装置、第２表示装置及び第３表示装置それぞれは、第１期間が互いに重複しないように、第１期間のタイミングを調整する。上述の如く、第１期間のタイミングは、共通する基準信号の周期単位で調整される（ずらされる）ので、比較的容易に、互いに重複しない第１期間の時間位置が決定されることとなる。
【０１２４】
（他の基準信号）
上述の一連の実施形態において、複数の表示装置の間で共通して用いられる基準信号として、商用電源又は室内灯が例示されている。代替的に、他の信号源からの信号が基準信号として用いられてもよい。例えば、複数の表示装置に電気的に接続された信号発生器が発生される信号は、基準信号として適切に用いられる。複数の表示装置に接続された信号発生器の基準信号源としての使用は、比較的多数の表示装置に基準信号を供給するときの機械的或いは電気的なセットアップを簡素化する。
【０１２５】
上述された実施形態は、以下の構成を主に備える。
【０１２６】
上述の実施形態の表示装置は、映像のフレーム画像の表示に同期する第１同期信号を送信する表示装置であって、他の表示装置が所定の送信周期で間欠式に第２同期信号を送信する際に基準とする所定の周波数の基準信号が入力される入力部と、前記基準信号に基づき、前記第１同期信号が送信される第１期間と、前記第１同期信号が受信されない第２期間と、を含むとともに前記所定の送信周期に相当する間欠式の送信周期を決定する決定部と、前記第１期間に前記第１同期信号を送信し、前記第２期間に前記第１同期信号を送信しない送信部と、を備え、前記決定部は、前記第２同期信号と前記第１同期信号との間の混信を避けるように、前記第１期間のタイミングを調整することを特徴とする。
【０１２７】
上記構成によれば、決定部は、入力部に入力された所定の周波数の基準信号に基づき、同期信号が送信される第１期間と、同期信号が受信されない第２期間と、を含む間欠式の送信周期を決定する。送信部は、第１期間中に、映像のフレーム画像の同期する第１同期信号を送信し、第２期間中に第１同期信号を送信しない。決定部は、他の表示装置からの第２同期信号の送信周期に相当する送信周期を決定するとともに、第２同期信号と第１同期信号との間の混信を避けるように第１期間のタイミングを調整するので、第１同期信号と第２同期信号との間の混信が好適に抑制される。
【０１２８】
上記構成において、前記決定部は、前記基準信号の周期単位で前記第１期間の前記タイミングを調整することを特徴とすることが好ましい。
【０１２９】
上記構成によれば、決定部は、基準信号の周期単位で第１期間のタイミングを調整する。他の表示装置からの第２同期信号の送信も基準信号に従うので、基準信号の周期単位での第１期間のタイミングの調整によって、第１期間のタイミングが適切に第２同期信号の送信からずらされやすくなる。かくして、第１同期信号と第２同期信号との間の混信が好適に抑制される。
【０１３０】
上記構成において、前記第１期間のタイミングを調整するための外部信号を受信する第１受信部を備え、前記決定部は、前記外部信号に基づき、前記第１期間の前記タイミングを調整することが好ましい。
【０１３１】
上記構成によれば、外部信号に基づき、第１期間のタイミングが好適に調整される。
【０１３２】
上記構成において、前記外部信号は、前記表示装置を制御するためのリモートコントローラから送信される信号を含むことが好ましい。
【０１３３】
上記構成によれば、リモートコントローラからの信号に基づき、第１期間のタイミングが好適に調整される。
【０１３４】
上記構成において、前記外部信号は、前記表示装置の前記第１受信部によって受信された前記第２同期信号を含み、前記決定部は、前記第１受信部が前記第２同期信号を、前記第１期間中に受信しないように、前記第１期間の前記タイミングを調整することが好ましい。
【０１３５】
上記構成によれば、決定部は、第１受信部が第２同期信号を第１期間中に受信しないように、第１期間のタイミングを調整する。したがって、決定部は、第２同期信号と第１同期信号との間の混信を好適に避けるように第１期間のタイミングを調整することができる。かくして、第１同期信号と第２同期信号との間の混信が好適に抑制される。
【０１３６】
上記構成において、前記基準信号は、前記他の表示装置及び前記表示装置に電力を供給するための商用電源からの交流電圧を含み、前記入力部は、前記決定部が前記交流電圧の周波数、又は、前記交流電圧の位相を読み取ることができるように前記交流電圧の波形を整形する波形整形部を含むことが好ましい。
【０１３７】
上記構成によれば、商用電源からの交流電圧が基準信号として用いられるので、基準信号を生成するための特別の装置が必要とされない。
【０１３８】
上記構成において、前記基準信号は、前記他の表示装置及び前記表示装置が置かれた空間を照らす光源の点滅を含み、前記入力部は、前記決定部が前記光源の点滅、又は、前記光源の位相を検知するとともに前記光源の点滅の周波数、又は、前記光源の位相を前記決定部に通知するための検知信号を出力する検知部を含むことが好ましい。
【０１３９】
上記構成によれば、光源の点滅が基準信号として用いられるので、基準信号を生成するための特別の装置が必要とされない。
【０１４０】
上述の実施形態の映像システムは、第１映像を表示する第１表示装置と、第２映像を表示する第２表示装置と、前記第１映像の視聴を補助するための第１眼鏡装置と、前記第２映像の視聴を補助するための第２眼鏡装置と、を備え、前記第１表示装置及び前記第２表示装置は、所定の周波数の基準信号が入力される入力部と、映像のフレーム画像の同期する同期信号を送信する送信部と、前記同期信号が送信される第１期間と、前記同期信号が受信されない第２期間と、を含む間欠式の送信周期を決定する決定部と、前記同期信号が第１期間に送信されるとともに前記第２期間に送信されないように、前記送信部を制御する送信制御部と、を備え、前記第１眼鏡装置及び前記第２眼鏡装置は、前記同期信号を受信する第２受信部と、前記映像からの光量を調整する光学フィルタ部と、前記第１期間中に受信された前記同期信号に基づき、前記光学フィルタ部を制御する制御部と、を備え、前記第１表示装置及び前記第２表示装置の前記決定部は、前記基準信号に基づき、前記送信周期を決定し、前記第１表示装置の前記決定部は、前記第２表示装置の前記決定部が決定した前記第１期間のタイミングと重ならないように、前記第１期間のタイミングを調整し、前記第１表示装置からの前記同期信号と前記第２表示装置からの前記同期信号との間の混信を避け、前記第１眼鏡装置の前記第２受信部は、前記第１表示装置からの前記同期信号を受信し、前記第２眼鏡装置の前記第２受信部は、前記第２表示装置からの前記同期信号を受信することを特徴とする。
【０１４１】
上記構成によれば、第１表示装置は、第１映像を表示し、第１眼鏡装置は、第１映像の視聴を補助する。第２表示装置は、第２映像を表示し、第２眼鏡装置は、第２映像の視聴を補助する。第１表示装置及び第２表示装置の決定部は、入力部に入力された所定の周波数の基準信号に基づき、同期信号が送信される第１期間と、同期信号が受信されない第２期間と、を含む間欠式の送信周期を決定する。第１表示装置及び第２表示装置の送信部は、第１期間中に、映像のフレーム画像の同期する同期信号を送信し、第２期間中に同期信号を送信しない。第１表示装置及び第２表示装置の決定部は、基準信号に基づき、送信周期を決定する。第１表示装置の決定部は、第２表示装置の決定部が決定した第１期間のタイミングと重ならないように、第１期間のタイミングを調整する。かくして、第１表示装置からの同期信号と第２表示信号からの同期信号との間での混信が好適に避けられることとなる。第１眼鏡装置の第２受信部は、第１表示装置からの同期信号を受信する。かくして、第１眼鏡装置は、第２表示装置からの同期信号にほとんど影響されることなく、適切に第１映像の視聴を補助することができる。同様に、第２眼鏡装置の第２受信部は、第２表示装置からの同期信号を受信する。かくして、第２眼鏡装置は、第１表示装置からの同期信号にほとんど影響されることなく、適切に第２映像の視聴を補助することができる。
【産業上の利用可能性】
【０１４２】
本発明は、３次元映像を視聴するための技術に好適に利用可能である。
【図１】
2011118113.tif 000003
【図２】
2011118113.tif 000004
【図３】
2011118113.tif 000005
【図４】
2011118113.tif 000006
【図５】
2011118113.tif 000007
【図６】
2011118113.tif 000008
【図７】
2011118113.tif 000009
【図８】
2011118113.tif 000010
【図９】
2011118113.tif 000011
【図１０】
2011118113.tif 000012
【図１１】
2011118113.tif 000013
【図１２】
2011118113.tif 000014
【図１３】
2011118113.tif 000015
【図１４】
2011118113.tif 000016
【図１５】
2011118113.tif 000017
【図１６】
2011118113.tif 000018
【図１７】
2011118113.tif 000019
【図１８】
2011118113.tif 000020
【図１９】
2011118113.tif 000021
【図２０】
2011118113.tif 000022
【図２１】
2011118113.tif 000023
【国際調査報告】
2011118113.tif 000024
2011118113.tif 000025
2011118113.tif 000026